(57)【特許請求の範囲】
【請求項１】
前板と後板、左右の両側板がそれぞれ対向する角柱状胴部の上部開放端部が、前記後板上辺に同方向に順に連接される蓋板と振出口を設けた差し込みフラップおよび前記側板の上辺に連接される２枚の小フラップによって成形されてなり、前記差し込みフラップが前記胴部より引き出され、前記蓋板と差し込みフラップの振出口を設けた部分が山形を形成し、且つ、前記振出口が全開する最適な振出状態に至って、ロック手段が機能し、それ以上の引き出が防止されている振出しカートンであって、
前記ロック手段が、両側端から切り込まれた切り欠きを有する前記差し込みフラップの先端側の前記切り欠き端縁と前記小フラップの前記前板側端面との係合によるものであり、
前記差し込みフラップの前記切り欠きより先端の部分を端辺が曲線状の差し込み先端部とし、該差し込み先端部の左右幅が、前記胴部の両側壁間の内法寸法よりも広く設定され、かつ、前記前板上辺の両端部に小切り欠きを設けたことを特徴とする振出しカートン。
【発明の詳細な説明】
【０００１】
【発明の属する技術分野】
本発明は、差し込みフラップ型サックカートンを用いて差し込みフラップに設けられた振出口より粒状の内容物を容易に取り出すことができる振出しカートンに関する。
【０００２】
【従来の技術】
振出しカートンは常時ポケット等に入れておき、必要時に振出口を開封して内容物を適量取り出し、再度、振出口を元の閉鎖状態に戻すことができるものであって、粒状の口腔清涼剤等に使用されている。
図４は、従来の差し込みフラップ型振出しカートンの説明図である。これは、実公昭５９−１４３３３号公報に開示されている振出しカートンであって、図４（ａ）に示すようなカートンブランク３０から成形される。この差し込みフラップ部は、後板１２に連接された振出口Ｆを有する移動蓋板１７に、さらに両側にストッパー１９のある蓋板１８を連接してなるものであって、成形後、差し込みフラップを引き出すと、図４（ｂ）に示すように振出口Ｆを開口させることができる。
【０００３】
【発明が解決しようとする課題】
しかるに、実公昭５９−１４３３３号公報に開示されている振出しカートンは、ロック機能がないため、図４（ｂ）に示す振出口Ｆが全開した振出状態を完全に保持することが難しく、中途半端な開封状態になり易いという問題がある。
また、差し込みフラップ部分の構造が複雑であるので、通常のサック箱成形充填機を使用して、角柱状に成形された胴部の上方の開放端部を成形することができないという問題がある。
本発明は、前述の問題点に鑑みてなされたもので、振出状態において確実に形状保持ができ、かつ通常のサック箱成形充填機で容易に成形、充填することができる振出しカートンの提供を目的とする。
【０００４】
【課題を解決するための手段】
前記課題を解決するためになされた本発明による振出しカートンは、前板と後板、左右の両側板がそれぞれ対向する角柱状胴部の上部開放端部が、前記後板上辺に同方向に順に連接される蓋板と振出口を設けた差し込みフラップおよび前記側板の上辺に連接される２枚の小フラップによって閉鎖されてなり、前記差し込みフラップが前記胴部から引き出され、前記蓋板と差し込みフラップの振出口を設けた部分が山形を形成し且つ、前記振出口が全開する最適な振出状態に至ってロック手段が機能し、それ以上の引き出が防止されていることを構成とするものであり、前記ロック手段が、両側端から切り込まれた切り欠きを有する前記差し込みフラップの先端側の前記切り欠き端縁と前記小フラップの前記前板側端面との係合によるものであることを構成とし、さらに、前記差し込みフラップの前記切り欠きより先端の部分を端辺が曲線状の差し込み先端部とし、該差し込み先端部の幅が、前記胴部の両側壁間の内法寸法よりも広く設定し、かつ、前記前板上辺の両端部に小切り欠きを設たことを構成とするものである。
【０００５】
【発明の実施の形態】
以下、図面によって本発明による振出しカートンをさらに詳細に説明する。
図１は、本発明による振出しカートンのブランク展開図である。
本発明による振出しカートンのブランク１０は、図１に示すように、側板１、天板２、側板３、底板４、糊代片５をこの順に折線ａ〜ｄを介して連接してなる胴部ブランクの後板４の上辺に折線ｆ、ｇを介して蓋板６と先端が丸みを帯びた差し込みフラップ７をこの順に連接し、後板４の下辺に底板６’と差し込みフラップ７’を連接し、  側板１、３の上辺に折線ｅを介して小フラップ８を、また側板１、３の下辺に小フラップ８’を連接してなるものである。
そして、差し込みフラップ７の左右側辺には内側に切り込まれた切り欠き９を設け、この切り欠き９よりも蓋板６側に円弧と直線から区劃される振出口Ｆを打ち抜いて設け、その直線部分が蓋板６に隣接している。また、この切り欠き９よりも先端の部分に差し込み先端部Ｈを設け、この横幅Ｗ１を胴部側板間の内法寸法Ｗ２よりも僅かに広く設定している。さらに、この差し込み先端部Ｈの左右両端部を曲がり易くするために、小さな切り込み線Ｊを切り欠き９の内側から設けるか、さらに切り欠きを置く深く設けるようにしてもよい。
また、差し込みフラップ７と蓋板６との境界の両端には左右から折線ｇと位相をずらした切り込み線Ｇが設けられている。
さらに、前板２の上辺の両端部には小切り欠きＫが設けられている。
【０００６】
図２は、本発明による振出しカートンの機能説明図である。
図２（ａ）は、本発明による振出しカートン２０の角柱状胴部の上方の開放端部が成形された封止状態を示す斜視図である。
蓋板６に折線ｇを介して連接されている差し込みフラップ７は点線で示すように前板２に沿ってカートン内部に差し込まれている。なお、この状態で、Ａ／Ｃで示す左右両コーナーで、差し込みフラップ７の蓋板６側の両端縁Ｃ（図２（ｂ）参照）と小フラップ８の前板２側端面Ａ（図１参照）同志が軽く係止して蓋板６が独りでに開かないようになっている。これと同じ機構は底部においても同様に設けられ、底板はひとりでに開かないようになっている。
前述のように、差し込みフラップ７の差し込み先端部Ｈの横幅Ｗ１は、胴部側板間左右内法寸法Ｗ２よりも僅かに広く設定されており、また切り込み線Ｊによって、左右の突出部は曲がり易くなっているので、差し込み先端部Ｈの左右の突出部は、胴部内において両側板の内面に接触して折れ曲がった状態となっている。そして、この状態は常時保たれ、差し込み先端部Ｈの左右突出部は側板１、３内面を摺動しながら移動するようになっている。従って、摩擦抵抗が発生してストッパー的な役割を有し、差し込みフラップ７の引出しあるいは挿入の途中の任意の位置で止めることができる。
また、蓋板６の中央部前側には振出口Ｆの打ち抜きと同時に開封時に利用する摘まみ片Ｔが形成され、蓋板６を上方に持ち上げ易くするとともに、蓋板６が封止される場合に蓋板６が胴部内に埋没しないようにするストッパーとなっている。
【０００７】
図２（ｂ）は、本発明による振出しカートン２０の摘まみ片Ｔに指を押し当てて蓋板６を上方に持ち上げて到達した振出口Ｆが全開する最適な振出状態の斜視図である。
本発明による振出しカートン２０では、この振出状態においてロック手段が機能してこれ以上の差し込みフラップ７の胴部からの引出し、抜け落ちが完全に防止されている。
このロック手段は、胴部上部の前側の両コーナーにおいて機能しており、本発明のポイントとなるものである。
このロック手段は、差し込みフラップ７の切り欠き９における差し込み先端部Ｈ側の端縁Ｂ（内側におれまがっている）と小フラップ８の前板２側の端面Ａ（図１も参照）同志による強固な係止（図ではＡ／Ｂで示す）によるものである。
また、この振出状態で、差し込みフラップ７の切り欠き９における振出口Ｆ側の端縁Ｄ（図１も参照）と小フラップ８の端縁Ｅ（図１も参照）同志の軽い係止（図ではＤ／Ｅで示す）と前述の差し込み先端部Ｈの左右突出部と側板１、３内面の摩擦抵抗によって、差し込みフラップ７の胴部内への戻りが防止されている。しかし、この防止力は弱く、蓋板６を下方に手で押し込めば容易に差し込みフラップ７を胴部内に押し戻すことができる。
以上説明したように、本発明による振出しカートン２０は、図２（ａ）に示す封止状態と図２（ｂ）に示す振出状態においてそれぞれロック手段が機能して位置決めが行われ、確実に振出しカートンの振出状態と封止状態を保ことができ、しかも繰り返してこの両状態間を往復させることができる。
【０００８】
図３は、本発明による振出しカートンの組立時の補足説明図である。
前板２の上辺の両端に形成されている小切り欠きＫは、最初の開放端部の組立時に、先端に丸みがあって、横幅Ｗ１を有する差し込み先端部Ｈをより狭い胴部側板間の内法寸法Ｗ２を有する胴部内に差し込む作業を容易にするために設けられている。すなわち、丸みを有する差し込み先端部Ｈを図３（ａ）に示すように、両方の小切り欠きＫに嵌合する位置まで差し込み、次いで若干力を加えて蓋板６を押し下げると差し込み先端部Ｈの左右突出部が後方に折れ曲がった状態となって、図３（ｂ）に示すように差し込みフラップ７全体を胴部内に差し込むことができる。この差し込み先端部Ｈが、小切り欠きＫを通過する瞬間、差し込み先端部Ｈと前板２上端部は共に前側に多少湾曲する。
以上説明したように、小切り込みＫは差し込みフラップ７の胴部への差し込みを容易にするガイドのような役割を果たしている。
【０００９】
本発明の振出しカートン２０のブランク基材には、広範囲の板紙の使用が可能であるが、剛度が有り、耐折強度の強い、カード系、特板系が好適に使用できる。
また長期にわたり振出口の開閉を繰返し、開閉の回数が多くなる場合には折線や切れ目線等からの破壊等を起きにくくするために、ポリ塩化ビニル、ポリプロピレン、ポリエチレン、ポリエチレンテレフタレート、ポリカーボネート、ポリスチレン等のフィルムを板紙にラミネートするとよい。また、このラミネートによって防湿性の向上を図ることもできる。
さらに、板紙に代わって、プラスチックシートをブランク基材に使用してもよい。例えば、タルク等のフィラーを混入して不透明にしたポリプロピレンシート、アモルファスポリエチレンテレフタレート等のシートをそのままブランク基材として使用することができる。
また、内容物によっては透明プラスチックシートを使用して、中身を見せるようなスケルトン型にしてもよい。
なお、本発明による振出しカートン２０には密封性はなく、また塵埃の混入防止のため、成形充填後に振出しカートン２０全体を防湿性プラスチックフィルムでオーバーラップすることが好ましい。
【００１０】
また、ブランク基材への印刷にはオフセット、グラビア、シルクスクリーン等のいかなる周知の印刷方法を用いてもよい。またエンボス、箔押し、ＯＰニスコート等の後加工を行ってもよい。これら印刷及び後加工は板紙あるいはプラスチックのシート状での加工であるため美しい、迫力のあるシャープな仕上がりとなる。
【００１１】
【発明の効果】
本発明による振出しカートン２０によれば、胴部内で湾曲した差し込みフラップ７の切り欠き９における差し込み先端部Ｈ側の端縁Ｂと小フラップの端面Ａ同志が係合することによるロック手段によって、また、差し込みフラップ７の切り欠き９における振出口Ｆ側の端縁Ｄと小フラップ８の端縁Ｅ同志の軽い係止に対して、前述の差し込み先端部Ｈの左右突出部と側板１、３内面の摩擦抵抗がプラスされて、最適な開封状態を保ことができ、且つ差し込みフラップ７の胴部からの抜けを防止することができる。
また、封止状態においても、差し込みフラップ７の蓋板６側の端縁Ｃと小フラップ８の前板２側端面Ａが軽く係止して蓋板６が独りでに開かないようになっている。
従って、本発明による振出しカートン２０は収納位置と開封位置の間を、容易に、安定して反復可能である。
また、カートンブランクの外形は、シンプルな一般の差し込みフラップ型サックカートンと略同一であるので、通常の差し込みフラップ型サックカートン用の成形充填機をそのまま利用して成形、充填を行うことが可能であり、新規な成形、充填機の製作の必要がなくなり、経済的である。
【図面の簡単な説明】
【図１】本発明による振出しカートンのブランク展開図
【図２】本発明による振出しカートンの機能説明図
【図３】本発明による振出しカートンの組立時の補足説明図
【図４】従来の差し込みフラップ型振出しカートンの説明図
【符号の説明】
１      側板
２      前板
３      側板
４      後板
５      糊代片
６      蓋板
７      差し込みフラップ
８      小フラップ
９      切り欠き
１０      本発明による振出しカートンのブランク
２０      本発明による振出しカートン
３０      従来の振出しカートン
ａ〜ｇ      折線
Ａ      小フラップの前板側端面
Ｂ      差し込みフラップ７の切り欠き９における差し込み先端部Ｈ側の端縁
Ｃ      差し込みフラップ７の蓋板６側の両端縁
Ｄ      差し込みフラップ７の切り欠き９における振出口Ｆ側の端縁
Ｅ      小フラップの端縁
Ｆ      振出口
Ｈ      差し込み先端部
Ｋ      小切り欠き
Ｔ      摘まみ片
【図１】
0004270608.tif 000002
【図２】
0004270608.tif 000003
【図３】
0004270608.tif 000004
【図４】
0004270608.tif 000005